(57)【要約】【課題】  食生活の改善に寄与するメールを、各人の生活習慣に合わせてタイミング良く配信する方法とシステムを提供すること。【解決手段】  少なくとも情報の入出力手段と通信手段とを備えたサービス利用者の端末が、無線或いは有線の通信手段を介して、少なくとも情報の記録手段と演算手段と通信手段とを備えたサービス提供者のホストコンピューターに接続されるシステムにおいて、サービス利用者は、その個人の識別情報と、端末のメールアドレスと、体重と、食生活に関する生活習慣情報とを、少なくとも予めサービス提供者ホストコンピューターに入力して、その記録手段に登録しておき、サービス提供者ホストコンピューターは、その記録手段に記録されている各サービス利用者の生活習慣情報と、予め記録されている生活習慣情報データベース及び定型文データベースとから、演算手段によって送信文を作成し、通信手段によってその送信文を各サービス利用者へ個別に配信する。【選択図】  図６
2007115179.tif 000002
【特許請求の範囲】
【請求項１】
少なくとも情報の入出力手段と通信手段とを備えたサービス利用者の端末が、無線或いは有線の通信手段を介して、少なくとも情報の記録手段と演算手段と通信手段とを備えたサービス提供者のホストコンピューターに接続されるシステムにおいて、
サービス利用者は、その個人の識別情報と、端末のメールアドレスと、体重と、食生活に関する生活習慣情報とを、少なくとも予めサービス提供者ホストコンピューターに入力して、その記録手段に登録しておき、
サービス提供者ホストコンピューターは、その記録手段に記録されている各サービス利用者の生活習慣情報と、予め記録されている生活習慣情報データベース及び定型文データベースとから、演算手段によって送信文を作成し、通信手段によってその送信文を各サービス利用者へ個別に配信する
ことを特徴とする個別メール配信方法。
【請求項２】
生活習慣情報に、毎日行なう起床就寝及び摂食の時刻を含め、
各サービス利用者のその生活習慣情報に基づいた所定の時刻に、サービス提供者ホストコンピューターが、サービス利用者へ送信文を配信する
請求項１に記載の個別メール配信方法。
【請求項３】
サービス利用者からサービス提供者ホストコンピューターへ新たな情報入力があった時に、
サービス提供者ホストコンピューターが、その入力情報を基にして作成した送信文をサービス利用者へ配信する
請求項１または２に記載の個別メール配信方法。
【請求項４】
生活習慣情報に、食物の少なくとも種類を含め、
サービス提供者ホストコンピューターが、サービス利用者から入力された食物に応じて摂取カロリーの計算を行なう演算部を備える
請求項１ないし３に記載の個別メール配信方法。
【請求項５】
生活習慣情報に、運動の少なくとも種類を含め、
サービス提供者ホストコンピューターが、サービス利用者から入力された運動に応じて消費カロリーの計算を行なう演算部を備える
請求項１ないし４に記載の個別メール配信方法。
【請求項６】
サービス提供者ホストコンピューターが、サービス利用者の体重の変化を記録し、その情報を配信可能である
請求項１ないし５に記載の個別メール配信方法。
【請求項７】
サービス提供者ホストコンピューターが、サービス利用者の目標体重を算出し、その情報を配信可能である
請求項１ないし６に記載の個別メール配信方法。
【請求項８】
サービス提供者ホストコンピューターが、
摂取カロリーの経時変化を示す棒グラフの上に、体重の経時変化を示す折れ線グラフを半透明にして重ね合わせると共に、摂取カロリーと体重を示す各縦軸数値目盛りを左右の縦軸に分配して表示するグラフデータを配信可能である
請求項１ないし７に記載の個別メール配信方法。
【請求項９】
複数のサービス利用者を組にして、
サービス提供者ホストコンピューターが、その複数のサービス利用者間における目標体重への達成度を算出し、その情報を配信可能である
請求項１ないし８に記載の個別メール配信方法。
【請求項１０】
送信文に、サービス利用者の目標体重への努力を激励する内容を含む
請求項１ないし９に記載の個別メール配信方法。
【請求項１１】
少なくとも情報の入出力手段と通信手段とを備えたサービス利用者の端末が、無線或いは有線の通信手段を介して、少なくとも情報の記録手段と演算手段と通信手段とを備えたサービス提供者のホストコンピューターに接続されるシステムにおいて、
サービス利用者が、その個人の識別情報と、端末のメールアドレスと、体重と、食生活に関する生活習慣情報とを、少なくとも予めサービス提供者ホストコンピューターに入力するための登録情報出力手段と、
その登録情報出力手段による出力を入力して登録するサービス提供者ホストコンピューターの記録手段と、
その記録手段に記録されている各サービス利用者の生活習慣情報と、予め記録されている生活習慣情報データベース及び定型文データベースとから、サービス利用者への送信文を作成するサービス提供者ホストコンピューターの演算手段と、
その送信文を各サービス利用者へ個別に配信する通信手段とを有する
ことを特徴とする個別メール配信システム。
【発明の詳細な説明】
【技術分野】
【０００１】
本発明は、携帯電話網やインターネット等の通信手段を介して、サービス提供者のホストコンピューターからサービス利用者の端末へ、各人の食生活に関するメールを適宜個別に配信する方法とシステムに関する。
【背景技術】
【０００２】
携帯電話網やインターネット等の通信手段を介して、サービス提供者のホストコンピューターから、その会員のサービス利用者の端末へ、サービス利用者毎に諸々のメールを配信するシステムは従来から存在する。しかし、その配信は、画一的な内容のものが多く、また、その配信内容に対して、受信者は影響を及ぼすことができず閉鎖的であった。
【０００３】
そのようなメールの配信に関する従来技術には、例えば特許文献１〜４のようなものがある。
【特許文献１】特開２００５−２５０７８９「電子メール配信方法、電子メールシステム及び装置」
【特許文献２】特開２００３−１７８１７６「個人ライフプラン支援情報提供機能を備えたインターネットを介した事業支援システム」
【特許文献３】特開２００３−１９０６４３「インターネットゲームサイトやインターネットカフェ等の店舗における賞金付ゲーム大会の定期実施」
【特許文献４】特開２００３−４４５９５「健康支援システムおよびこのシステムに使用する携帯情報端末用のプログラム」
【０００４】
近年、健康志向の隆盛に伴って、ダイエットに興味関心を示す人が増えつつある。しかし、生活習慣を変えるのは、本人の意志のみでは困難なことが多く、かえって過度の食事制限によって体調を壊す人も少なくない。
日々の食生活のタイミングに沿って、適度なダイエットを意識させるメールが、各人に合わせて配信されればその一助になる。しかし、それを実行するシステムは従来にはなかった。
【発明の開示】
【発明が解決しようとする課題】
【０００５】
そこで、本発明は、食生活の改善に寄与するメールを、各人の生活習慣に合わせてタイミング良く配信する方法と、それを実施するシステムを提供することを課題とする。
【課題を解決するための手段】
【０００６】
上記課題を解決するため、本発明の個別メール配信方法は、次の構成を備える。
すなわち、少なくとも情報の入出力手段と通信手段とを備えたサービス利用者の端末が、無線或いは有線の通信手段を介して、少なくとも情報の記録手段と演算手段と通信手段とを備えたサービス提供者のホストコンピューターに接続されるシステムにおいて、サービス利用者は、その個人の識別情報と、端末のメールアドレスと、体重と、食生活に関する生活習慣情報とを、少なくとも予めサービス提供者ホストコンピューターに入力して、その記録手段に登録しておき、サービス提供者ホストコンピューターは、その記録手段に記録されている各サービス利用者の生活習慣情報と、予め記録されている生活習慣情報データベース及び定型文データベースとから、演算手段によって送信文を作成し、通信手段によってその送信文を各サービス利用者へ個別に配信することを特徴とする。
【０００７】
ここで、生活習慣情報に、毎日行なう起床就寝及び摂食の時刻を含め、各サービス利用者のその生活習慣情報に基づいた所定の時刻に、サービス提供者ホストコンピューターが、サービス利用者へ送信文を配信するようにしてもよい。
【０００８】
サービス利用者からサービス提供者ホストコンピューターへ新たな情報入力があった時に、サービス提供者ホストコンピューターが、その入力情報を基にして作成した送信文をサービス利用者へ配信するようにしてもよい。
【０００９】
生活習慣情報に、食物の少なくとも種類を含め、サービス提供者ホストコンピューターが、サービス利用者から入力された食物に応じて摂取カロリーの計算を行なう演算部を設けてもよい。
【００１０】
生活習慣情報に、運動の少なくとも種類を含め、サービス提供者ホストコンピューターが、サービス利用者から入力された運動に応じて消費カロリーの計算を行なう演算部を設けてもよい。
【００１１】
サービス提供者ホストコンピューターが、サービス利用者の体重の変化を記録し、その情報を配信可能な構成にしてもよい。
【００１２】
サービス提供者ホストコンピューターが、サービス利用者の目標体重を算出し、その情報を配信可能な構成にしてもよい。
【００１３】
サービス提供者ホストコンピューターが、摂取カロリーの経時変化を示す棒グラフの上に、体重の経時変化を示す折れ線グラフを半透明にして重ね合わせると共に、摂取カロリーと体重を示す各縦軸数値目盛りを左右の縦軸に分配して表示するグラフデータを配信可能な構成にしてもよい。
【００１４】
複数のサービス利用者を組にして、サービス提供者ホストコンピューターが、その複数のサービス利用者間における目標体重への達成度を算出し、その情報を配信可能な構成にしてもよい。
【００１５】
送信文に、サービス利用者の目標体重への努力を激励する内容を含めてもよい。
【００１６】
このような配信方法を実施する個別メール配信システムは、少なくとも情報の入出力手段と通信手段とを備えたサービス利用者の端末が、無線或いは有線の通信手段を介して、少なくとも情報の記録手段と演算手段と通信手段とを備えたサービス提供者のホストコンピューターに接続されるシステムにおいて、サービス利用者が、その個人の識別情報と、端末のメールアドレスと、体重と、食生活に関する生活習慣情報とを、少なくとも予めサービス提供者ホストコンピューターに入力するための登録情報出力手段と、その登録情報出力手段による出力を入力して登録するサービス提供者ホストコンピューターの記録手段と、その記録手段に記録されている各サービス利用者の生活習慣情報と、予め記録されている生活習慣情報データベース及び定型文データベースとから、サービス利用者への送信文を作成するサービス提供者ホストコンピューターの演算手段と、その送信文を各サービス利用者へ個別に配信する通信手段とを有することを特徴とする。
【発明の効果】
【００１７】
本発明によると、利用者各人の体重と食生活に関する生活習慣情報とを基にして、食生活の改善に寄与する内容のメールが、各人の状態に合わせて個別にタイミング良く配信されるので、ダイエット等の生活習慣改善に有効である。
【発明を実施するための最良の形態】
【００１８】
以下に、図面を基に本発明の実施形態を説明する。
本発明は、サービス利用者側端末としては、インターネット等の回線を介してサービス提供者側ホストコンピューターに接続されたＰＣやＰＤＡ等の通信機器が利用できるが、本実施例ではメール機能の備わった携帯電話機を例示して説明する。
なお、サービス提供者側ホストコンピューターは、記録手段や演算手段等として、従来公知のハードディスクやメモリ等を備える。
また、本発明は、前記特許文献１〜４における記載事項を適宜利用できる。
【００１９】
図１は、サービス利用者の携帯電話機ディスプレイにおいて、個人識別情報等を入力する様態を示す説明図である。
サービス利用者は、生年月日や性別等の個人識別情報や、双方向通信を行うためのメールアドレスや、体重身長などの身体情報や、食事の種類や摂食時刻などに関する食生活や、起床就寝時刻や運動などに関する日常の基本生活等の生活習慣情報を、自己の端末で入力し、予めサービス提供者ホストコンピューターに送信して、その記録手段に登録しておく。
【００２０】
図２は、サービス利用者の携帯電話機ディスプレイにおいて、トップメニューと体重グラフ表示機能を示す一例の説明図である。
サービス利用者は、会員機能として、体重グラフ表示や、ダイエットレースや、基礎数値算出や、カロリー計算や、目標体重設定など、好適な体重を維持することを中心とし、生活習慣を改善して健康な生活をおくるための各種機能を提供される。その提供は、所定の日時に自動的に配信されるメールや、サービス利用者からの自発的なメール送信に対する回答として画面表示されたりメール配信されたりする形態で行われる。
【００２１】
図２に示した体重グラフ表示に関する機能では、サービス利用者は自己の体重を随時入力して送信することで、サービス提供者側ホストコンピューターに記録される。そして、サービス利用者が体重グラフ表示を求める入力をすることによって、サービス提供者側ホストコンピューターから、既に蓄積されている体重の時系列データを配信されグラフ表示される。
表示グラフには、増減の傾向示す補助線や、後述の目標体重を示す補助線などを付加させたり、所定の閾値をおけた場合には点滅表示させて注意を喚起するようにしてもよい。
また、後述のダイエットレース参加者複数人のデータを同時表示してもよい。
【００２２】
グラフ表示には、例えば、折れ線グラフと棒グラフとを組み合わせて表示してもよい。その場合、複数のグラフデータを一度にサービス提供者側ホストコンピューターから配信してもよいが、棒グラフデータを配信した後に折れ線グラフを配信するような際は、後から配信するデータをサービス提供者側ホストコンピューターで目盛り等を揃えて合成処理を施してから送ることが好ましい。
【００２３】
従来技術では、例えば、目標体重、日々の体重、日々の摂取カロリーの３種類のデータを、一つのグラフに表示するのは困難であった。その理由は、例えば、約０〜２０００kcalの大きな変動幅をもつ摂取カロリーに合わせてグラフの値域目盛り幅を設定すると、約−１０〜＋１０kgの小さな変動幅をもつ体重の変化が目立たなくなってしまったり、また、グラフの基準点が、摂取カロリーでは不摂食の０kcalなのに対し、体重では現時点の５０kg等であり、グラフに表示する値域範囲に隔たりがあるからである。
それに対し本発明では、摂取カロリーのグラフと体重に関するグラフとを、サービス提供者側ホストコンピューターで、別々に作成した後、その２画像を画像変換技術により重ね合わせてから、サービス利用者側端末へ配信するようにした。具体的には、摂取カロリーを示す棒グラフの上に、体重を示す折れ線グラフを半透明にして重ね合わせると共に、摂取カロリーと体重を示すそれぞれの縦軸数値目盛りを、左右の縦軸に分配して表示した。
【００２４】
図３は、サービス利用者の携帯電話機ディスプレイにおいて、ダイエットレース機能を示す一例の説明図である。
５人など複数のサービス利用者間における目標体重への達成度が算出され、各サービス利用者に配信される。目標体重への達成度は、目標体重に対する現体重の比率や、所定期間前の過去の体重から現体重までの変化率などで表現できる。
また、組を形成する複数人のサービス利用者の選定は、サービス提供者側ホストコンピューターで、類似した身長体重年齢等の人を検索して求めてもよい。
【００２５】
図４は、サービス利用者の携帯電話機ディスプレイにおいて、基礎数値算出機能を示す一例の説明図である。
体重及び身長の値から、ＢＭＩ値など肥満度等を示す数値が算出される。
【００２６】
図５は、サービス利用者の携帯電話機ディスプレイにおいて、カロリー計算機能を示す一例の説明図である。
食事の分類、メニューを選択することで、標準的なカロリーが示される。食事の分量を選択する項目を付加させてもよい。
【００２７】
該当する食事の選択肢がない場合には、食事名を文字入力して送信し、サービス提供者側ホストコンピューターにおいて、該当或いは類似する食事をそのデータベースで検索して、相応するカロリー値を求めてもよい。その際、検索で得られたカロリー値を、サービス利用者側端末へ逐一返信して通知することで、サービス利用者の確認に寄与させてもよい。なお、該当或いは類似する食事がデータベースで検索できなかった場合は、５００kcal等の所定の一定値で代替させてもよい。
サービス提供者側ホストコンピューター側では、文字入力による食事名のリストが得られるので、そのデータを出力させて、食事の分類やメニュー項目名の追加や整理に寄与させてもよい。
【００２８】
図７〜９は、カロリー計算機能を示す別実施例を詳細に示す説明図である。
図７のように、各食品のカロリーが一覧表示されているページにおいて、各食品名にはリンクが付けられていて、それらを選択することで摂取カロリーを記録するページに移行する。そして、摂取日時を入力することで、その摂食行為がサービス提供者側ホストコンピューターに送信され記録される。
その摂食記録は、図８のように、日付等を入力することで、サービス提供者側ホストコンピューターから配信され、食品名と共にカロリーも表示される。
その一日に摂取したカロリー量は、図９のように、体重グラフに併せて表示すると、自己の食生活を顧みるのに有益である。
【００２９】
図６は、サービス利用者の携帯電話機ディスプレイにおいて、サービス提供者側ホストコンピューターから配信されるコーチングメール内容を示す一例の説明図である。
サービス提供者側ホストコンピューターに蓄積されている情報を基にして、サービス利用者の生活リズムに合わせたタイミングで、各サービス利用者の属性やダイエット状況に応じたメールが配信される。
メールには、サービス利用者の目標体重への努力を激励する内容などが含められる。質問形式の内容のメールを配信して、積極的な関与を促すようにしてもよい。
【産業上の利用可能性】
【００３０】
本発明の個別メール配信方法及びシステムによると、無理のないダイエットをはじめ、食生活や普段の生活習慣の改善に寄与するので、産業上利用価値が高い。
【図面の簡単な説明】
【００３１】
【図１】サービス利用者の携帯電話機ディスプレイにおいて、個人識別情報等を入力する様態を示す説明図
【図２】サービス利用者の携帯電話機ディスプレイにおいて、トップメニューと体重グラフ表示機能を示す一例の説明図
【図３】サービス利用者の携帯電話機ディスプレイにおいて、ダイエットレース機能を示す一例の説明図
【図４】サービス利用者の携帯電話機ディスプレイにおいて、基礎数値算出機能を示す一例の説明図
【図５】サービス利用者の携帯電話機ディスプレイにおいて、カロリー計算機能を示す一例の説明図
【図６】サービス利用者の携帯電話機ディスプレイにおいて、サービス提供者側ホストコンピューターから配信されるコーチングメール内容を示す一例の説明図
【図７】カロリー計算機能を示す別実施例を詳細に示す説明図
【図８】カロリー計算機能を示す別実施例を詳細に示す説明図
【図９】カロリー計算機能を示す別実施例を詳細に示す説明図
【図１】
2007115179.tif 000003
【図２】
2007115179.tif 000004
【図３】
2007115179.tif 000005
【図４】
2007115179.tif 000006
【図５】
2007115179.tif 000007
【図６】
2007115179.tif 000008
【図７】
2007115179.tif 000009
【図８】
2007115179.tif 000010
【図９】
2007115179.tif 000011